(57)【要約】【課題】上階居住部と下階居住部との間に設けられる階間収納層を利用して導光用ダクトを設けることにより、太陽光を屋内に取り込んでライフスタイル等への自然光の活用や省エネルギー化を効果的に図ることのできる階間収納層を備える建物を提供する。【解決手段】上階居住部１３と下階居住部１２との間に０．５層分の高さの階間収納層７０が介在し、この階間収納層７０に、階間収納庫１４ａ，１４ｂと、内周面に光反射材が取り付けられ、採光口１７ａ，１７ｂ，１７ｄから取り込まれた太陽光を当該階間収納層７０に沿って横方向に誘導すると共に、誘導した太陽光を１階居住部１２に放光する放光口７１，７４を備える導光用横ダクト２１ａ，２１ｂ，２１ｄとを設ける。また階間収納層７０の一部に、階間収納庫１４ａ，１４ｂ及び導光用横ダクト２１ａ，２１ｂ，２１ｄが設けられていない１階居住部１２の天井吹抜け部７２が形成される。【選択図】図１
2008163682.tif 000002
【特許請求の範囲】
【請求項１】
上階居住部と下階居住部との間に０．５層分の高さの階間収納層を介在させた部分を有し、該階間収納層に、階間収納庫と、内周面に光反射材が取り付けられ、採光口から取り込まれた太陽光を当該階間収納層に沿って横方向に誘導すると共に、誘導した太陽光を下階空間に放光する放光口を備える導光用横ダクトとを設けたことを特徴とする階間収納層を備える建物。
【請求項２】
前記放光口から太陽光が放光される前記下階空間が、前記下階居住部である請求項１に記載の階間収納層を備える建物。
【請求項３】
前記階間収納層の一部に、前記階間収納庫及び前記導光用横ダクトが設けられていない前記下階居住部の天井吹抜け部が形成されており、該天井吹抜け部に隣接して前記導光用横ダクトが配置されると共に、これの側面に設けた側面放光口から前記天井吹抜け部に太陽光が放光される請求項２に記載の階間収納層を備える建物。
【請求項４】
前記放光口から洗面室、浴室、及び／又はキッチンに向けて太陽光が放光される請求項２又は３に記載の階間収納層を備える建物。
【請求項５】
前記下階居住部の内周面に光触媒系材料による仕上げが施されている請求項２〜４のいずれかに記載の階間収納層を備える建物。
【請求項６】
前記放光口から坪庭に向けて太陽光が放光される請求項１〜５のいずれかに記載の階間収納層を備える建物。
【請求項７】
前記採光口が、下端部が前記導光用横ダクトに接続すると共に、縦方向に延設して上端部が建物の屋根部分又は屋上部分に開口する、内周面に光反射材が取り付けられた導光用縦ダクトの当該上端部によって構成され、該上端部に取り付けられた採光装置によって前記導光用縦ダクト及び前記導光用横ダクトに太陽光を取り込む請求項１〜６のいずれかに記載の階間収納層を備える建物。
【請求項８】
前記採光口が前記上階居住部から出入り可能なバルコニーに設けられ、前記導光用横ダクトが該バルコニーに沿ってこれの下方に設けられる請求項１〜６のいずれかに記載の階間収納層を備える建物。
【請求項９】
前記採光口が建物の外壁部分に設けられる請求項１〜６のいずれかに記載の階間収納層を備える建物。
【発明の詳細な説明】
【技術分野】
【０００１】
本発明は、階間収納層を備える建物に関し、特に収納庫を設けるための階間収納層を、太陽光を誘導する空間として効率良く活用した階間収納層を備える建物に関する。
【背景技術】
【０００２】
近年、生活に使用する日用品や家具類等の物品の種類も多種多様となってきており、例えば季節に応じてこれらの物品を交換しながら使用する機会も多いことから、建物の内部の空間を利用して、大きな収納スペースを有する収納庫を確保することが要望されている。例えば、上階居住部と下階居住部との間に０．５層分の高さの階間収納層を介在させ、この階間収納層を収納庫として用いるようにした住宅が開示されている（例えば、特許文献１参照）。
【０００３】
上階居住部と下階居住部との間に設けられる０．５層分の高さの階間収納層は、１層分の高さには満たないものの、例えば一般の居住者がかがんで歩ける程度の高さを備えており、収納庫の他にも多目的のスペースとして有効利用できる空間であると考えられる。また、階間収納層は、これの上方や下方に上階居住部や下階居住部を形成するために、相当の広さの平面領域に亘って設けられるものであることから、その全域を収納庫として使用するのは、収納庫の面積が大きくなるだけで必ずしも効率の良い空間の利用方法であるとは言い難い。
【０００４】
一方、近年、省エネルギーや二酸化炭素の排出削減による環境保護を目的として、太陽光を屋内に取り込んで利用するために、壁や屋根に設けた採光装置から、横方向に延設される光ダクト装置を介して太陽光を建物の内部に導き、この光ダクト装置から下方の居住空間に向けて太陽光を放光できるようにした建物が種々提案されている（例えば、特許文献２、特許文献３参照）。
【特許文献１】特開２００４−１１３３６号公報
【特許文献２】特開２００４−３９３１８号公報
【特許文献３】特開２００４−３１９１１０号公報
【発明の開示】
【発明が解決しようとする課題】
【０００５】
しかしながら、上記従来の光ダクト装置を介して太陽からの自然光を建物の内部に導くようにした建物では、光ダクト装置は、構造が複雑で高価なものになると共に、天井裏部分の狭い空間に設けられることから、維持管理が容易ではなく、また光ダクト装置の内部に人が立ち入ることはできないため、清掃や補修等に多くの手間を要することになる。
【０００６】
本発明は、このような従来の課題に着目してなされたものであり、上階居住部と下階居住部との間に設けられる０．５層分の高さの階間収納層を効率良く利用して、簡易且つ安価で維持管理も容易な導光用ダクトを設けることにより、太陽光を屋内に取り込んでライフスタイルやインテリアデザインへの自然光の活用や省エネルギー化を効果的に図ることのできる階間収納層を備える建物を提供することを目的とする。
【課題を解決するための手段】
【０００７】
本発明は、上階居住部と下階居住部との間に０．５層分の高さの階間収納層を介在させた部分を有し、該階間収納層に、階間収納庫と、内周面に光反射材が取り付けられ、採光口から取り込まれた太陽光を当該階間収納層に沿って横方向に誘導すると共に、誘導した太陽光を下階空間に放光する放光口を備える導光用横ダクトとを設けたことを特徴とする階間収納層を備える建物を提供することにより、上記目的を達成したものである。
【０００８】
ここで、上記記載における０．５層分の高さは、一般に２３０〜３６０ｃｍ程度の高さを有する１層分の高さの中間部分に位置する高さを略称するものであり、１層分の高さの１／２の高さの他、１層分の高さの４０〜６３％程度の高さを含むものである。
【０００９】
そして、本発明の階間収納層を備える建物は、前記放光口から太陽光が放光される前記下階空間が、前記下階居住部であることが好ましい。
【００１０】
また、本発明の階間収納層を備える建物は、前記階間収納層の一部に、前記階間収納庫及び前記導光用横ダクトが設けられていない前記下階居住部の天井吹抜け部が形成されており、該天井吹抜け部に隣接して前記導光用横ダクトが配置されると共に、これの側面に設けた側面放光口から前記天井吹抜け部に太陽光が放光されることが好ましい。
【００１１】
さらに、本発明の階間収納層を備える建物は、前記放光口から洗面室、浴室、及び／又はキッチンに向けて太陽光が放光されることが好ましい。
【００１２】
さらにまた、本発明の階間収納層を備える建物は、前記下階居住部の内周面に光触媒系材料による仕上げが施されていることが好ましい。
【００１３】
そして、本発明の階間収納層を備える建物は、前記放光口から坪庭に向けて太陽光が放光されることが好ましい。
【００１４】
また、本発明の階間収納層を備える建物は、前記採光口が、下端部が前記導光用横ダクトに接続すると共に、縦方向に延設して上端部が建物の屋根部分又は屋上部分に開口する、内周面に光反射材が取り付けられた導光用縦ダクトの当該上端部によって構成され、該上端部に取り付けられた採光装置によって前記導光用縦ダクト及び前記導光用横ダクトに太陽光を取り込むようになっていることが好ましい。
【００１５】
さらに、本発明の階間収納層を備える建物は、前記採光口が前記上階居住部から出入り可能なバルコニーに設けられ、前記導光用横ダクトが該バルコニーに沿ってこれの下方に設けられていることが好ましい。
【００１６】
さらにまた、本発明の階間収納層を備える建物は、前記採光口が建物の外壁部分に設けられていることが好ましい。
【００１７】
そして、本発明の階間収納層を備える建物によれば、上階居住部と下階居住部との間の０．５層分の高さの階間収納層に、階間収納庫に加えて、内周面に光反射材が取り付けられ、放光口を備える導光用横ダクトを設けたので、階間収納庫による適度な広さの収納スペースを確保できると共に、導光用横ダクトは、例えば階間収納層において階間収納庫から仕切って形成した通路状部分の内周面に光反射材を取り付けるだけで、簡易且つ安価に設けることが可能になる。このようにして設けられた導光用横ダクトは、０．５層分の高さを有しており、例えば階間収納庫から当該導光用横ダクトに人が容易に立ち入ることができるので、維持管理を容易に行うことができると共に、補修や清掃等を容易に行うことが可能になる。
【００１８】
また、導光用横ダクトの放光口から、例えば下階空間として下階居住部に太陽光を放光することにより、当該下階居住部を太陽光で照らしてライフスタイルやインテリアデザインへの自然光の活用や省エネルギー化を容易に図ることが可能になる。導光用横ダクトの放光口から例えば洗面室に向けて太陽光を放光すれば、洗面室が建物の北側に位置してじめじめし易い場合でも、当該洗面室において、明るい雰囲気で、且つ自然光の下での化粧等の状況を確認しながら化粧料の調合や身支度を行うことが可能になる。導光用横ダクトの放光口から例えば浴室に向けて太陽光を放光すれば、浴室が建物の北側に位置してじめじめし易い場合でも、自然光の下で露天風呂のような明るい雰囲気で入浴を行うことが可能になる。導光用横ダクトの放光口から例えばキッチンに向けて太陽光を放光すれば、奥まった位置に配置されて暗くなりがちなキッチンにおいても、自然光の下で明るい雰囲気で調理等を行うことが可能になる。
【００１９】
太陽光が放光される下階居住部の内周面に光触媒系材料による仕上げを施しておけば、太陽光による紫外線の作用によって、空気中の有害物質除去機能、脱臭機能、抗菌・殺菌機能等を発揮させることにより、下階居住部の環境浄化を図ることが可能になると共に、下階居住部の内周面を構成する壁面や床面、天井面等の汚れを抑制することが可能になる。
【００２０】
導光用横ダクトの放光口から、例えば下階空間として坪庭に向けて太陽光を放光することもでき、これによってそのままでは日照をあまり期待できない坪庭においても、導光用横ダクトからの放光による日照を確保して、種々の植栽を行うことが可能になる。
【００２１】
さらに、下階居住部の天井吹抜け部を階間収納層の一部に形成し、この天井吹抜け部に隣接して導光用横ダクトを配置して、これの側面に設けた側面放光口から天井吹抜け部に太陽光を放光させるようにすれば、自然光による明るい雰囲気の天井吹抜け部によって、さらに開放感のある下階居住部を形成することが可能になる。また天井吹抜け部に円弧断面形状のドーム天井（ボールト天井）を設けておくこともでき、側面放光口から放光させた太陽光をこのドーム天井により拡散させて、軟らかい光を生じる意匠性に富んだ天井面を下階居住部に形成することが可能になる。
【００２２】
また、本発明の階間収納層を備える建物によれば、太陽光を取り込む採光口は、下端部が導光用横ダクトに接続すると共に、縦方向に延設して上端部が建物の屋根部分又は屋上部分に開口する導光用縦ダクトの当該上端部により構成することができる。これによって、長時間に亘って太陽光が照射される建物の屋根部分又は屋上部分に開口する採光口に取り付けた採光装置から、内周面に光反射材が取り付けられた導光用縦ダクトを介して、階間収納層に設けられた導光用横ダクトに長時間に亘って効率良く安定した状態で太陽光を導光することが可能になる。
【００２３】
太陽光を取り込む採光口は、上階居住部から出入り可能なバルコニーに設けることもでき、また導光用横ダクトをバルコニーに沿ってこれの下方に設けることもできる。これによって、上階居住部の領域の一部を導光用縦ダクトによって専有することなく、バルコニーを利用して、採光口に取り付けた採光装置から階間収納層に設けられた導光用横ダクトに太陽光をよりスムーズに導光することが可能になる。
【００２４】
太陽光を取り込む採光口は、建物の外壁部分に設けることもできる。これによって、導光用縦ダクトを介することなく、より簡易な構成によって、採光口に取り付けた採光装置から階間収納層に設けられた導光用横ダクトに太陽光をより直接的に導光することが可能になる。
【発明の効果】
【００２５】
本発明の階間収納層を備える建物によれば、上階居住部と下階居住部との間に設けられる０．５層分の高さの階間収納層を効率良く利用して、簡易且つ安価で維持管理も容易な導光用ダクトを設けることにより、太陽光を屋内に取り込んでライフスタイルやインテリアデザインへの自然光の活用や省エネルギー化を効果的に図ることができる。
【発明を実施するための最良の形態】
【００２６】
本発明の好ましい一実施形態に係る階間収納層を備える建物１０は、例えば図１〜図４に示すように、主屋根１１ａによって覆われる第１構造部１０ａと、副屋根１１ｂによって覆われる第２構造部１０ｂとを一体として構築した、低層の住宅建築物である。本実施形態では、建物１０の西側に位置する第１構造部１０ａは、１階居住部１２と２階居住部１３との間に階間収納庫１４ａ，１４ｂが設けられる階間収納層７０を有していることにより（図６参照）、略２．５層分の軒桁高さで形成されており、建物１０の東側に位置する第２構造部１０ｂは、１階（下階）の床部１２ａから０．５層分の高さに設けたスキップ床１５の上方に中２階（中間階）居住部１６を備える部分を有していることにより、略１．５層分の軒桁高さで形成されている。
【００２７】
また、本実施形態では、建物１０は、第１構造部１０ａの主屋根１１ａから上方に僅かに突出した状態で開口する採光口１７ａ，１７ｂ，１７ｃを備える、３本の導光用縦ダクト１８ａ，１８ｂ，１８ｃを有しており、これらの導光用縦ダクト１８ａ，１８ｂ，１８ｃを介して、採光装置１９ａ，１９ｂ，１９ｃから建物１０の内部に太陽光を取り込むことができるようになっている。
【００２８】
さらに、本実施形態では、第３導光用縦ダクト１８ｃ以外の第１導光用縦ダクト１８ａ及び第２導光用縦ダクト１８ｂは、第１階間収納庫１４ａや第２階間収納庫１４ｂに隣接して１階居住部１２と２階居住部１３との間の階間収納層７０に設けられた、第１導光用横ダクト２１ａ及び第２導光用横ダクト２１ｂと各々連通し、第１構造部１０ａの階間収納層７０に配置されたこれらの導光用横ダクト２１ａ，２１ｂに、太陽光を送り込むことができるようになっている（図６参照）。また、本実施形態では、図６及び図９に示すように、第１構造部１０ａの２階部分に設けたバルコニー２２にも、当該バルコニー２２にバルコニー採光口１７ｄが開口する導光用バルコニーダクト２０が設けられており、この導光用バルコニーダクト２０を介して、採光装置１９ｄから建物１０の内部に取り込まれた太陽光を、バルコニー２２に沿って第１構造部１０ａの階間収納層７０に設けられたバルコニー導光用横ダクト２１ｄに送り込むことができるようになっている。
【００２９】
なお、本実施形態では、３本の導光用縦ダクト１８ａ，１８ｂ，１８ｃのうち、第１構造部１０ａと第２構造部１０ｂとの接続部分に配置された一方の導光用縦ダクトである第３導光用縦ダクト１８ｃを介して、スキップ床１５の下方の空間に自然光を取り込むことにより（図４参照）、収納庫２５を設けるためのスキップ床１５の下方の空間を多目的の空間として、効率良く使用きるようになっている。
【００３０】
そして、本実施形態の建物１０は、第１構造部１０ａにおける２階居住部１２と１階居住部１３との間に設けられる０．５層分の高さの階間収納層７０を効率良く利用して、簡易且つ安価で維持管理も容易な導光用横ダクト２１ａ，２１ｂ，２１ｄを設けることにより、太陽光を屋内に取り込んでライフスタイルやインテリアデザインへの自然光の活用や省エネルギー化を効果的に図ることができるようにするものであり、図１〜図１０示すように、２階居住部１２と１階居住部１３との間に０．５層分の高さの階間収納層７０を介在させた部分（第１構造部１０ａ）を有しており、この階間収納層７０に、階間収納庫１４ａ，１４ｂと、内周面に光反射材が取り付けられ、採光口１７ａ，１７ｂ，１７ｄから取り込まれた太陽光を階間収納層７０に沿って横方向に誘導すると共に、誘導した太陽光を下階空間に放光する放光口７１，７４を備える導光用横ダクト２１ａ，２１ｂ，２１ｄとを設けたことを特徴としている。
【００３１】
また、本実施形態では、階間収納層７０の一部に、階間収納庫１４ａ，１４ｂ及び導光用横ダクト２１ａ，２１ｂ，２１ｄが設けられていない１階居住部１３の天井吹抜け部７２が形成されており（図６，図１０参照）、この天井吹抜け部７２に隣接して導光用横ダクト２１ｂ，２１ｄが配置されると共に、これの側面に設けた側面放光口７４から天井吹抜け部７２に太陽光が放光されるようになっている。
【００３２】
本実施形態の建物１０の１階部分には、図５に示すように、その南西の角部分にポーチ２９及び玄関３０が設けられており、玄関３０の北側には、略逆Ｌ字形状に延設する玄関ホール３１が設けられている。玄関ホール３１の北側には、建物１０の北西の角部分に配置されて、洗面室３２及び浴室３３が設けられており、浴室３３と玄関ホール３１との間の凹状に括れた部分は、屋外に位置する坪庭３４となっている。玄関ホール３１及び洗面室３２の東側には、１階廊下３５を挟んで北側からトイレ３６、折返し階段３７、キッチン３８が設けられており、キッチン３８の南側には、ポーチ２９及び玄関３０の東側に隣接して、リビング３９が設けられている。これらによって、建物１０の第１構造部１０ａにおける１階居住部１２が構成されることになる。
【００３３】
また、キッチン３８及びリビング３９の東側には、これらと連通するダイニング４０が、建物１０の第２構造部１０ｂにおける１階居住部１２として設けられている。ダイニング４０の北側には、建物１０の北東の角部分に配置されて、１階の床部１２ａから０．５層分の高さにスキップ床１５が設けられ（図４参照）、その下方の空間が、ダイニング４０から出入り可能な東側の１階収納庫２５と、西側の多目的採光スペース２６とに、仕切り壁４１によって区画されている。さらに、スキップ床１５の上方には、和室４２が、中２階居住部１６として、折返し階段３７の中２階踊り場部４３ａから出入り可能に設けられている（図６参照）。なお、本実施形態では、建物１０の第２構造部１０ｂにおける、１階居住部１２であるダイニング４０の天井、及び中２階居住部１６である和室４２の天井は、開放感のある勾配天井４４となっていると共に（図１，図４参照）、ダイニング４０は、１．５層分の天井高さを有する吹抜け空間となっている。
【００３４】
本実施形態では、折返し階段３７を介して１階部分から昇降するフロアは、図６に示すように、建物１０の第１構造部１０ａに設けられた、階間収納庫１４ａ，１４ｂが配置される０．５層分の高さの階間収納層７０となっている。この階間収納層７０には、建物１０の西側部分に配置されて、第１階間収納庫１４ａが、折返し階段３７の階間踊リ場部４３ｂから出入り可能に設けられると共に、折返し階段３７の南側に隣接して、第２階間収納庫１４ｂが、階間踊リ場部４３ｂから出入り可能に設けられる。
【００３５】
また、本実施形態では、０．５層分の高さの階間収納層７０には、建物１０の北西の角部分に沿って、例えば７６〜１４０ｃｍ程度の幅で略Ｌ字平面形状に延設する第１導光用横ダクト２１ａが、第１階間収納庫１４ａから出入り可能に設けられると共に、第２階間収納庫１４ｂの南側の部分に沿って、例えば７６〜１４０ｃｍ程度の幅で直線状に延設する第２導光用横ダクト２１ｂが、第２階間収納庫１４ｂから出入り可能に設けられる。さらに、本実施形態では、建物１０の南側の部分に沿って、例えば７６〜１４０ｃｍ程度の幅で直線状に延設するバルコニー導光用横ダクト２１ｄが、２階部分に設けたバルコニー２２の下方に位置して、第１階間収納庫１４ａから出入り可能に設けられる。各導光用横ダクト２１ａ，２１ｂ，２１ｄには、第１導光用縦ダクト１８ａ、第２導光用縦ダクト１８ｂ、及び導光用バルコニーダクト２０を介して取り込まれた太陽光が導光される。また導光された太陽光を放光口７１や側面放光口７４から放光することにより、第１構造部１０ａ内の１階居住部１２を太陽光によって効果的に照明することができるようになっている。
【００３６】
ここで、本実施形態では、図６における第２導光用横ダクト２１ｂとバルコニー導光用横ダクト２１ｄとの間に挟まれる部分は、１階居住部１２であるリビング３９の１．５層分の高さの高天井部分となっていて、上述の階間収納庫１４ａ，１４ｂ及び導光用横ダクト２１ａ，２１ｂ，２１ｄが設けられていない天井吹抜け部７２を形成している（図１０参照）。
【００３７】
本実施形態では、折返し階段３７を介して階間収納層７０から昇降する２階部分は、図７に示すように、建物１０の第１構造部１０ａに設けられた２階居住部１３となっている。すなわち、２階部分には、折返し階段３７の昇降口と接続して、折返し階段３７の南側に２階ホール４６が設けられており、２階ホール４６の南側には、南東の角部分に配置されて、主寝室４７が設けられている。主寝室４７の西側には、南西の角部分に配置されて、第１洋室４８が設けられており、第１洋室４８の北側には、北西の角部分に配置されて、第２洋室４９が設けられている。また、主寝室４７及び第１洋室４８の南側には、これらから出入り可能なバルコニー２２が設けられており、２階ホール４６の北側には、トイレ５０、ロフト５１、物入れ５２等が設けられている。
【００３８】
なお、本実施形態の建物１０は、図４及び図５に示すように、スキップ床１５の下方の空間を、太陽光を利用した多目的の複合空間として効率良く使用することを可能にする採光収納構造部分２４を備えている。この採光収納構造部分２４は、スキップ床１５の下方の空間に設けられた１階収納庫２５及び多目的採光スペース２６と、この多目的採光スペース２６との接続部に下端放光口２７を備え、多目的採光スペース２６から縦方向に延設して上端が第３採光口１７ｃとして主屋根１１ａの部分に開口すると共に、内周面に光反射材が取り付けられた第３導光用縦ダクト１８ｃと、第３採光口１７ｃに取り付けられた採光装置１９ｃとによって構成される。
【００３９】
ここで、１階収納庫２５及び多目的採光スペース２６は、上方に和室４２が設けられた７．５畳程度の広さのスキップ床１５の下方の空間を、仕切り壁４１で東西に仕切ることにより、東側の４．５畳程度の広さの１階収納庫２５と、西側の３．０畳程度の広さの多目的採光スペース２６とに区画される。１階収納庫２５及び多目的採光スペース２６は、出入り口２５ａ，２６ａを介してダイニング４０から出入り可能となっている。また、１階収納庫２５と多目的採光スペース２６との間の仕切り壁４１には、放光部５３が設けられており、この放光部５３を介して、多目的採光スペース２６から１階収納庫２５に太陽光を取り込むことができるようになっている。さらに、１階収納庫２５や多目的採光スペース２６の屋外に面した壁面には、適宜開閉窓や開閉扉等を設けておくこともできる。多目的採光スペース２６とダイニング４０との間の仕切壁や扉を透明な部材で構成して、多目的採光スペース２６内の展示物や動植物等を、ダイニング４０から容易に観賞できるようにすることもできる。
【００４０】
そして、本実施形態では、導光用横ダクト２１ａ，２１ｂ，２１ｄは、図１、図２、及び図６に示すように、階間収納層７０において、例えば仕切り壁や仕切り扉等によって階間収納庫１４ａ，１４ｂの一部を仕切ることにより区画形成された、略矩形断面形状を有し、且つ人が容易に立入ることができる広さを備える中空の通路状部分の内周面を覆って、光反射材を取り付けることによって設けられる。光反射材としては、光の全反射率の高い材料として公知の、各種の仕上げ材を用いることができ、例えば銀蒸着樹脂フィルム、高反射率アルミニウムシート、ガラスの鏡、圧延仕上鏡面アルミ、化学研磨鏡面アルミ、ステンレス製鏡面研磨材等を、好ましく用いることができる。
【００４１】
より具体的には、導光用横ダクト２１ａ，２１ｂ，２１ｄは、例えば図１３に示すように、階間収納庫１４ａ，１４ｂから仕切り壁８０によって仕切られた略矩形断面形状の通路状部分の内周面を被覆して、例えば硬質グラスウールからなる断熱材８１を敷設すると共に、導光用横ダクト２１ａ，２１ｂ，２１ｄが略正方形の断面形状を有するように、通路状部分の天面部から間隔をおいて高さ調整下地８２を取り付けた後に、形成した略正方形の断面形状部分の内周面を覆って、例えば不燃ボード８４を介在させつつ光反射材８３を取り付けることによって容易に形成される。なお、点検口である導光用横ダクト２１ａ，２１ｂ，２１ｄへの出入り口８５に設けられた開閉扉８６には、これの導光用横ダクト２１ａ，２１ｂ，２１ｄ側の面に光反射材８３が取り付けられる。
【００４２】
導光用横ダクト２１ａ，２１ｂ，２１ｄに設けられた放光口７１や側面放光口７４には、好ましくは複層ガラス８７を嵌め込んでおくことにより、導光用横ダクト２１ａ，２１ｂ，２１ｄと１階居住部１２との間の断熱機能を発揮させることができると共に、ステンドガラスを用いて装飾性を向上させることもできる。さらに、熱線吸収ガラスや反射ガラス等を用いて室内に応じた種々の組み合わせとすることもでき、光拡散シートを貼ることによって、放光される太陽光のギラツキを和らげることもできる。
【００４３】
また、これらの導光用横ダクト２１ａ，２１ｂ，２１ｄに、採光装置１９ａ，１９ｂ，１９ｄが設置された採光口１７ａ，１７ｂ，１７ｄから取り込まれる太陽光を送り込む、第１導光用縦ダクト１８ａ、第２導光用縦ダクト１８ｂ、及び導光用バルコニーダクト２０は（図１，図２，図９参照）、例えば縦横９０ｃｍ程度の大きさの正方形の内空断面形状を有する筒状部分であって、これらの内周面を覆って、上述と同様の光反射材が取り付けられていることにより、取り込まれた太陽光を導光用横ダクト２１ａ，２１ｂ，２１ｄまで効率良く導光できるようになっている。
【００４４】
なお、本実施形態では、建物１０の内部を上下方向に延在する第１導光用縦ダクト１８ａ、第２導光用縦ダクト１８ｂ、及び第３導光用縦ダクト１８ｃには、これらの側面の適宜の位置に放光部２８が設けられており、この放光部２８を介して、周囲の例えば２階居住部１３や中２階居住部１６に太陽光を放光できるようになっている（図４，図８参照）。また第１導光用縦ダクト１８ａ、第２導光用縦ダクト１８ｂ、及び第３導光用縦ダクト１８ｃの上端部側面には、換気口２３が開口形成されており、この換気口２３に例えば換気ファン等の公知の各種の換気装置５４を取り付けておくことにより、各導光用縦ダクト１８ａ，１８ｂ，１８ｃを換気路として用いることが可能になる。換気口２３を人が立ち入ることのできる大きさに形成すると共に、例えば換気装置５４を開閉扉に取り付けて開閉可能に設置することにより、これらの換気口２３から、各導光用縦ダクト１８ａ，１８ｂ，１８ｃの採光口１７ａ，１７ｂ，１７ｃに設置した採光装置１９ａ，１９ｂ，１９ｄを、適宜点検整備したり、補修したりすることができるようになっている。
【００４５】
ここで、採光口１７ａ，１７ｂ，１７ｃ，１７ｄに取り付けられて太陽光を取り込む採光装置１９ａ，１９ｂ，１９ｃ，１９ｄとしては、建物の壁や屋根、屋上等に取り付けられて、太陽からの自然光をダクトを介して建物の屋内に取り込むことが可能な機構を有する、公知のアクリル製や硝子製のドーム等の各種の採光装置を用いることができる。例えば特開２０００−１６２５４１号公報、特開２０００−２４３１１１号公報、特開２００６−５４０７１号公報、特開２００４−３９３１８号公報等に記載された採光装置に適宜改良を加えて用いることができる。
【００４６】
また、本実施形態では、第１導光用縦ダクト１８ａ、第２導光用縦ダクト１８ｂ、及び導光用バルコニーダクト２０と、第１導光用横ダクト２１ａ、第２導光用横ダクト２１ｂ、及びバルコニー導光用横ダクト２１ｄとの接続部分に、光屈曲導光部材７３を設置して、第１導光用縦ダクト１８ａ、第２導光用縦ダクト１８ｂ、及び導光用バルコニーダクト２０から、各導光用横ダクト２１ａ，２１ｂ，２１ｄへの導光がスムーズに行えるようになっている（図１，図２参照）。光屈曲導光部材７３の下方に放光口７１が設けられる場合には、光屈曲導光部材７３に例えばスリット７３ａを設けて、放光口７１まで太陽光を導光させる。ここで光屈曲導光部材７３としては、例えば特開２００５−２６８１５６号公報に記載された光ダクト装置の折り曲げ部に設置される部材に、適宜改良を加えて用いることができる。また、略Ｌ字平面形状に延設する第１導光用横ダクト２１ａの角部分にも、光屈曲導光部材７３が設置される（図６参照）。
【００４７】
さらに、本実施形態では、導光用横ダクト２１ａ，２１ｂ，２１ｄの放光口７１や側面放光口７４から太陽光が放光される部分の１階居住部１２には、これらの内周面に光触媒系材料による仕上げが施されている。光触媒系材料としては、公知の各種の光触媒系材料を用いることができ、例えば特開２００２−２３５３８２号公報に記載される、光触媒活性を有する酸化チタンを担持した調湿性無機粉末を含有する水性エマルジョン塗料等を用いることができる。このような光触媒系材料は、太陽からの自然光による作用を受けて、空気中のＮＯXやＳＯX、ホルムアルデヒドなどの有害物質を除去する空気浄化機能や、アセトアルデヒド、アンモニア、硫化水素などによる悪臭を吸着、分解する脱臭機能、或いは水中に融解した汚染物質であるテトラクロロエチレンやトリクロロエチレンなどの揮発性有酸素化合物を分解、除去する浄水機能等を発揮する材料として知られるものである。また抗菌、殺菌作用によりクリーンな環境を形成する細菌・ウィルス感染抑制機能や、壁や床面の汚れを防ぐ防汚機能を発揮する材料としても知られるものである。
【００４８】
そして、上述の構成を有する本実施形態の階間収納層を備える建物１０によれば、上階居住部１２と下階居住部１３との間に設けられる０．５層分の高さの階間収納層７０を効率良く利用して、簡易且つ安価で維持管理も容易な導光用横ダクト２１ａ，２１ｂ，２１ｄを設けることにより、太陽光を屋内に取り込んで自然との共生や省エネルギー化を効果的に図ることが可能になる。
【００４９】
すなわち、本実施形態によれば、１階居住部１２と２階居住部１３との間の０．５層分の高さの階間収納層７０に、階間収納庫１４ａ，１４ｂに加えて、内周面に光反射材が取り付けられ、放光口７１，７４を備える導光用横ダクト２１ａ，２１ｂ，２１ｄを設けたので、階間収納庫１４ａ，１４ｂによる適度な広さの収納スペースを確保できると共に、導光用横ダクト２１ａ，２１ｂ，２１ｄは、例えば階間収納層７０において階間収納庫１４ａ，１４ｂから仕切って形成した通路状部分の内周面に光反射材を取り付けるだけで、簡易且つ安価に設けることが可能になる。このようにして設けられた導光用横ダクト２１ａ，２１ｂ，２１ｄは、０．５層分の高さを有しており、例えば階間収納庫１４ａ，１４ｂから当該導光用横ダクト２１ａ，２１ｂ，２１ｄに人が容易に立ち入ることができるので、維持管理を容易に行うことができると共に、補修や清掃等を容易に行うことが可能になる。
【００５０】
また、導光用横ダクト２１ａ，２１ｂ，２１ｄの放光口７１，７４から、例えば下階空間として１階居住部１２に太陽光を放光することにより、当該１階居住部１２を太陽光で照らしてライフスタイルやインテリアデザインへの自然光の活用や省エネルギー化を容易に図ることが可能になる。第１導光用横ダクト２１ａの放光口７１から例えば洗面室３２に向けて太陽光を放光すれば、洗面室３２が建物１０の北側に位置してじめじめし易い場合でも、当該洗面室３２において、明るい雰囲気で、且つ自然光の下での化粧等の状況を確認しながら化粧料の調合や身支度を行うことが可能になる。第１導光用横ダクト２１ａの放光口７１から例えば浴室３３に向けて太陽光を放光すれば、浴室３３が建物１０の北側に位置してじめじめし易い場合でも、自然光の下で露天風呂のような明るい雰囲気で入浴を行うことが可能になる。第２導光用横ダクト２１ｂの放光口７１から例えばキッチン３８に向けて太陽光を放光すれば、奥まった位置に配置されて暗くなりがちなキッチン３８においても、自然光の下で明るい雰囲気で調理等を行うことが可能になる。
【００５１】
さらに、太陽光が放光される１階居住部１２の内周面に光触媒系材料による仕上げが施されているので、太陽光による紫外線の作用によって、空気中の有害物質除去機能、脱臭機能、抗菌・殺菌機能等を発揮させることにより、下階居住部１２の環境浄化を図ることが可能になると共に、下階居住部１２の内周面を構成する壁面や床面、天井面等の汚れを抑制することが可能になる。
【００５２】
さらにまた、第１導光用横ダクト２１ａの放光口７１から、例えば下階空間として坪庭３４に向けて太陽光を放光することができ、これによってそのままでは日照をあまり期待できない坪庭においても、第１導光用横ダクト２１ａからの放光による日照を確保して、種々の植栽を行うことが可能になる。
【００５３】
また、１階居住部１２のリビング３９の上方に、天井吹抜け部７２が階間収納層７０の一部として形成されており、この天井吹抜け部７２に隣接して、両側に第２導光用横ダクト２１ｂ及びバルコニー導光用横ダクト２１ｄが配置されており、これらの側面に設けた側面放光口７４から天井吹抜け部７２に太陽光が放光されるようになっているので、自然光によって明るく照らされた天井吹抜け部７２によって、さらに開放感のある１階居住部のリビング３９を形成することが可能になる。
【００５４】
そして、本実施形態によれば、図１１に示すように、天井吹抜け部７２には、例えばこれの両側の第２導光用横ダクト２１ｂ及びバルコニー導光用横ダクト２１ｄに跨るようにして、円弧断面形状のドーム天井（ボールト天井）７５を、当該天井吹抜け部７２の内側に納めるようにして設けておくこともできる。これによって、第２導光用横ダクト２１ｂやバルコニー導光用横ダクト２１ｄの側面放光口７４から放光させた太陽光を、このドーム天井７５により拡散させて、軟らかい光を生じる意匠性に富んだ天井面を、１階居住部のリビング３９の上方に形成することが可能になる。
【００５５】
また、本実施形態によれば、太陽光を取り込む第１採光口１７ａ及び第２採光口１７ｂは、下端部が第１導光用横ダクト２１ａ及び第１導光用横ダクト２１ｂに各々接続されると共に、縦方向に延設して上端部が建物１０の第１構造部１０ａの主屋根１１ａ部分に開口する第１導光用縦ダクト１８ａ及び第２導光用縦ダクト１８ｂの当該上端部によって構成されている。これによって、長時間に亘って太陽光が照射される、建物１０の主屋根１１ａ部分に開口する採光口１７ａ，１７ｂに取り付けた採光装置１９ａ，１９ｂから、内周面に光反射材が取り付けられた導光用縦ダクト１８ａ，１８ｂを介して、階間収納層７０に設けられた導光用横ダクト２１ａ，２１ｂに、長時間に亘って効率良く安定した状態で太陽光を導光することが可能になる。
【００５６】
さらに、本実施形態によれば、太陽光を取り込むバルコニー採光口１７ｄは、２階居住部１３から出入り可能なバルコニー２２に設けられており、またバルコニー導光用横ダクト２１ｄがバルコニー２２に沿ってこれの下方に設けられている。これによって、２階居住部１３の領域の一部をバルコニー導光用横ダクト２１ｄによって専有することなく、バルコニー２２を利用して、バルコニー採光口１７ｄに取り付けた採光装置１９ｄから階間収納層７０に設けられたバルコニー導光用横ダクト２１ｄに太陽光をよりスムーズに導光することが可能になる。
【００５７】
なお、本発明は上記実施形態に限定されることなく種々の変更が可能である。例えば、本発明が適用される建物は、２階建ての建物である必要は必ずしも無く、２階等を下階、３階等を上階として、３階建て以上の建物に適用することもできる。また、図１２に示すように、太陽光を取り込む採光口１７ｅは、建物１０の外壁部分７６に設けることもできる。これによって、導光用縦ダクトを介することなく、より簡易な構成によって、採光口１７ｅに取り付けた採光装置１９ｅから、階間収納層７０に設けられた導光用横ダクト２１ｅに太陽光をより直接的に導光することが可能になる。
【図面の簡単な説明】
【００５８】
【図１】本発明の好ましい一実施形態に係る階間収納層を備える建物を南側から見た、図３及び図５のＡ−Ａに沿った略示断面図である。
【図２】本発明の好ましい一実施形態に係る階間収納層を備える建物を南側から見た、図３及び図５のＢ−Ｂに沿った略示断面図である。
【図３】本発明の好ましい一実施形態に係る階間収納層を備える建物の上面図である。
【図４】本発明の好ましい一実施形態に係る階間収納層を備える建物を南側から見た、図３及び図５のＣ−Ｃに沿った略示断面図である。
【図５】本発明の好ましい一実施形態に係る階間収納層を備える建物の構成を説明する１階部分の間取り図である。
【図６】本発明の好ましい一実施形態に係る階間収納層を備える建物の構成を説明する階間収納層の間取り図である。
【図７】本発明の好ましい一実施形態に係る階間収納層を備える建物の構成を説明する２階部分の間取り図である。
【図８】本発明の好ましい一実施形態に係る階間収納層を備える建物を東側から見た、図６のＤ−Ｄに沿った略示断面図である。
【図９】本発明の好ましい一実施形態に係る階間収納層を備える建物を東側から見た、図６のＥ−Ｅに沿った部分略示断面図である。
【図１０】本発明の好ましい一実施形態に係る階間収納層を備える建物を東側から見た、図６のＦ−Ｆに沿った略示断面図である。
【図１１】本発明の好ましい一実施形態に係る階間収納層を備える建物の他の形態を例示する、図６のＦ−Ｆに沿った略示断面図である。
【図１２】導光用横ダクトへ太陽光を取り込む採光口を建物の外壁部分に設けた構成を例示する部分略示断面図である。
【図１３】導光用横ダクトの構成を説明する略示断面図である。
【符号の説明】
【００５９】
１０  階間収納層を備える建物
１０ａ  第１構造部
１０ｂ  第２構造部
１２  １階居住部（下階居住部）
１３  ２階居住部（上階居住部）
１４ａ，１４ｂ  階間収納庫
１７ａ，１７ｂ，１７ｃ，１７ｄ，１７ｅ  採光口
１８ａ  第１導光用縦ダクト（導光用縦ダクト）
１８ｂ  第２導光用縦ダクト（導光用縦ダクト）
１８ｃ  第３導光用縦ダクト
１９ａ，１９ｂ，１９ｃ，１９ｄ，１９ｅ  採光装置
２０  導光用バルコニーダクト２０
２１ａ  第１導光用横ダクト（導光用横ダクト）
２１ｂ  第２導光用横ダクト（導光用横ダクト）
２１ｄ  バルコニー導光用横ダクト（導光用横ダクト）
２１ｅ  導光用横ダクト
２２  バルコニー
３２  洗面室
３３  浴室
３４  坪庭
３８  キッチン
３９  リビング
７０  階間収納層
７１  放光口
７２  天井吹抜け部
７３  光屈曲導光部材
７４  側面放光口
７５  ドーム天井（ボールト天井）
７６  建物の外壁部分
【図１】
2008163682.tif 000003
【図２】
2008163682.tif 000004
【図３】
2008163682.tif 000005
【図４】
2008163682.tif 000006
【図５】
2008163682.tif 000007
【図６】
2008163682.tif 000008
【図７】
2008163682.tif 000009
【図８】
2008163682.tif 000010
【図９】
2008163682.tif 000011
【図１０】
2008163682.tif 000012
【図１１】
2008163682.tif 000013
【図１２】
2008163682.tif 000014
【図１３】
2008163682.tif 000015